(57)【要約】【課題】ハウジングの窓ガラスとカメラの撮影レンズとで挟まれた空間を密閉することによって、簡単な構成で窓ガラスの曇りを防止できるとともに、低コスト化が可能なカメラハウジングを提供する。【解決手段】ハウジング１０の前端部には窓ガラス１８が設けられており、この窓ガラス１８にカメラ１２の撮影レンズ２４が対向するようにして、カメラ１２がハウジング１０内に収納されている。撮影レンズ２４の先端部には、筒状部材３２とシール部材３４から成る密閉部材３０が設けられている。筒状部材３２は、窓ガラス１８の枠体１７に固定されており、この筒状部材３２の内周面と撮影レンズ２４の外周面とがシール部材３４によってシールされている。これにより、窓ガラス１８と撮影レンズ２４との間に密閉空間３１が形成される。【選択図】      図２
2005128375.tif 000002
【特許請求の範囲】
【請求項１】
カメラが収納されるとともに、カメラの撮影レンズに対向した前端部に窓ガラスが設けられたカメラハウジングにおいて、
前記窓ガラスと前記撮影レンズとで挟まれた空間を密閉する密閉部材を備えたことを特徴とするカメラハウジング。
【請求項２】
前記密閉部材は、
前記窓ガラスと前記撮影レンズとで挟まれた空間を囲む筒状に形成され、前記撮影レンズと前記カメラハウジングの一方に取り付けられる筒状部材と、
前記撮影レンズと前記カメラハウジングの他方と前記筒状部材とをシールするシール部材と、
で構成されることを特徴とする請求項１に記載のカメラハウジング。
【請求項３】
前記密閉部材によって密閉された空間を吸湿する吸湿手段を備えたことを特徴とする請求項１または２に記載のカメラハウジング。
【発明の詳細な説明】
【技術分野】
【０００１】
本発明はテレビカメラを収納するカメラハウジングに係り、特に防曇機能を備えたカメラハウジングに関する。
【背景技術】
【０００２】
屋外や水中で使用されるカメラは、ハウジングに収納されて保護されており、ハウジングの前面に設けられた窓ガラスを介して撮影を行うようになっている。ハウジング内に収納されたカメラは、ハウジングの内外の温度差が大きくなることによって窓ガラスに曇りが発生し、撮影に悪影響を及ぼすという問題がある。このため、従来は、窓ガラスに透明導電膜やヒータを取り付けることによって窓ガラスを加温し、窓ガラスの曇りを防止している。
【０００３】
しかし、透明導電膜は、電極の取付スペースのためにハウジングが大型化するという問題や、コストが高いという問題がある。一方、ヒータを用いた場合は、ヒータから離れた窓ガラスの中央部が曇りやすいという問題や、ヒータの貼り付け面積を確保するためにハウジングが大型化するという問題がある。さらに、ヒータを用いた場合は、防曇性を向上させるためにヒータの幅を厚くして発熱量を増加させる必要があり、このために価格が高くなる。
【０００４】
窓ガラスの曇りを防止する別の方法としては、二重窓ガラスを用いる方法がある。しかし、二重窓ガラスの場合、現状の窓ガラスに比べてガラスが一枚余分にあるため、余分なガラスの表面及び裏面での反射を防止するために両面に反射防止コートをする必要が生じてしまい、ハウジング装置として煩雑なものになってしまう。また、二重窓ガラスは非常に高価であり、ハウジングのコストが上がってしまうといった問題を解消することはできない。
【０００５】
そこで、特許文献１は、ハウジングの窓ガラスの内側に防曇膜を形成し、この防曇膜によって窓ガラスが曇ることを防止している。このハウジングによれば、窓ガラスの内側に防曇膜を形成するだけなので、二重窓ガラスを使用するよりも簡単且つ安価なハウジングにすることができる。
【特許文献１】特開２０００−４７３１１号公報
【発明の開示】
【発明が解決しようとする課題】
【０００６】
しかしながら、特許文献１は、防曇膜の耐久性が低いという問題や、防曇膜を形成したことによって光学特性が低下するという問題があり、実現化が非常に困難であるという問題があった。
【０００７】
本発明はこのような事情に鑑みてなされたもので、簡単な構成でカメラの撮影に悪影響を与えることなく、窓ガラスの曇りを防止できるとともに、低コスト化が可能なカメラハウジングを提供することを目的とする。
【課題を解決するための手段】
【０００８】
請求項１に記載の発明は前記目的を達成するために、カメラが収納されるとともに、カメラの撮影レンズに対向した前端部に窓ガラスが設けられたカメラハウジングにおいて、前記窓ガラスと前記撮影レンズとで挟まれた空間を密閉する密閉部材を備えたことを特徴とする。
【０００９】
請求項１に記載の発明によれば、窓ガラスと撮影レンズとで挟まれた空間が密閉手段によって密閉されるので、窓ガラスに接する水蒸気量が減少し、簡単な構成で窓ガラスに曇りが発生することを抑制することができる。
【００１０】
また、請求項１に記載の発明によれば、カメラの撮影レンズを利用して密閉空間を形成したので、コストを削減することができる。
【００１１】
請求項２に記載の発明は請求項１の発明において、前記密閉部材は、前記窓ガラスと前記撮影レンズとで挟まれた空間を囲む筒状に形成され、前記撮影レンズと前記カメラハウジングの一方に取り付けられる筒状部材と、前記撮影レンズと前記カメラハウジングの他方と前記筒状部材とをシールするシール部材と、で構成されることを特徴としている。
【００１２】
請求項２の発明によれば、筒状部材とシール部材から成る密閉部材を用いることによって、窓ガラスと撮影レンズとで挟まれた空間が極力狭くなるように密閉することができる。したがって、窓ガラスに接触する水蒸気量がさらに少なくなるので、窓ガラスの曇りの発生をより効果的に抑制することができる。
【００１３】
請求項３に記載の発明は請求項１または２の発明において、前記密閉部材によって密閉された空間を吸湿する吸湿手段を備えたことを特徴としている。
【００１４】
請求項３の発明によれば、吸湿手段によって密閉空間の内部を吸湿するので、密閉空間内の水蒸気量が減少し、窓ガラスの曇りの発生をより効果的に抑制することができる。
【発明の効果】
【００１５】
本発明に係るカメラハウジングによれば、窓ガラスと撮影レンズとで挟まれた空間が密閉部材によって密閉されるので、簡単な構成で窓ガラスに曇りが発生することを抑制することができるとともに、低コスト化を図ることができる。
【発明を実施するための最良の形態】
【００１６】
以下添付図面に従って本発明に係るカメラハウジングの好ましい実施形態について説明する。
【００１７】
図１は、本発明に係るカメラハウジングが適用された雲台の一実施の形態を示した外観図であり、図２は、図１のカメラハウジングの内部構造を模式的に示す断面図である。
【００１８】
図１に示す雲台１１は、テレビカメラ（図２参照；以下、カメラという）１２を収納するカメラハウジング（以下、ハウジングという）１０と、ハウジング１０を内部のカメラ１２とともにパンニング及びチルティングさせる雲台本体１６とから構成される。
【００１９】
ハウジング１０は雲台本体１６から延設されたチルト軸（不図示）に片持ち支持されている。このチルト軸が雲台本体１６内のチルトモータ（不図示）によって回転駆動されることによって、ハウジング１０が内部のカメラ１２とともにチルティングされる。
【００２０】
また、雲台本体１６は、不図示の据付台上に固定されたパン軸１９に支持される。このパン軸１９を軸として雲台本体１６が内蔵のパンモータによって回転駆動されることによって、ハウジング１０が内部のカメラ１２とともにパンニングされる。
【００２１】
雲台１１は、専用回線や公衆回線等の通信回線を介して雲台コントローラ１４に接続されており、この雲台コントローラ１４を操作することによって、雲台１１のパン・チルト動作が制御される。
【００２２】
図２に示すように、ハウジング１０の前面には、枠体１７に支持された透明の窓ガラス１８が設けられる。また、ハウジング１０の内部には、窓ガラス１８を介してハウジング１０の外部の映像を撮影するカメラ１２が収納されている。
【００２３】
カメラ１２は、カメラ本体２２と撮影レンズ２４から成り、撮影レンズ２４がハウジング１０の窓ガラス１８に対向するようにして配置されるとともに、カメラ本体２２が支持部材２６を介してハウジング１０に固定される。支持部材２６には、カメラ１２の光軸方向に長孔２６Ａ、２６Ａが形成されており、この長孔２６Ａ、２６Ａを介してねじ２８、２８をハウジング１０側の固定部１０Ａ、１０Ａに締め込むことによって、カメラ本体２２がハウジング１０に固定される。このため、ねじ２８、２８を緩めると、支持部材２６が撮影レンズ２４の光軸Ｐ方向に移動自在になるので、カメラ１２の位置を光軸Ｐ方向に調節することができる。これにより、撮影レンズ２４と窓ガラス１８との間隔を調節することができる。なお、撮影レンズ２４と窓ガラス１８は狭い間隔（例えば１〜１０ｍｍ程度のクリアランス）を持って配置することが好ましい。
【００２４】
ところで、撮影レンズ２４の先端部には密閉部材３０が設けられており、この密閉部材３０によって、撮影レンズ２４と窓ガラス１８とで挟まれた空間（以下、密閉空間という）３１が密閉されるようになっている。
【００２５】
図３に示すように密閉部材３０は、筒状部材３２とシール部材３４で構成される。筒状部材３２は、撮影レンズ２４よりも大きい筒状に形成され、窓ガラス１８の枠体１７に取り付けられている。なお、筒状部材３２と枠体１７は、例えば接着剤等によってシールされている。
【００２６】
一方、シール部材３４は、リング状に形成され、筒状部材３２の撮影レンズ２４側の端部の内周面に取り付けられている。このシール部材３４によって筒状部材３２の内周面と撮影レンズ２４の外周面との気密がとられる。これにより、窓ガラス１８と撮影レンズ２４との間の空間が、筒状部材３２とシール部材３４から成る密閉部材３０によって密閉される。なお、シール部材３４としては弾性力のあるものが好ましく、例えばシリコンゴム等が使用される。
【００２７】
次に上記の如く構成されたハウジング１０の作用について説明する。
【００２８】
ハウジング１０の内外に大きな温度差が発生した場合、ハウジング１０内の水蒸気が窓ガラス１８の表面で急激に冷やされて水滴となり、この水滴が窓ガラス１８に付着して曇りが発生する。その際、密閉部材３０がない従来構造では、ハウジング１０内の広い空間の水蒸気量が対象となるため、窓ガラス１８に付着する水滴の量が多く、窓ガラス１８に曇りが発生しやすい。
【００２９】
これに対して本実施の形態は、密閉部材３０が設けられているため、窓ガラス１８と撮影レンズ２４とで挟まれた狭い密閉空間３１内の水蒸気しか窓ガラス１８に付着するおそれがない。したがって、窓ガラス１８に水滴が付着しにくくなり、窓ガラス１８に曇りが発生することを抑制することができる。
【００３０】
このように本実施の形態のハウジング１０によれば、密閉部材３０によって、窓ガラス１８と撮影レンズ２４との間に密閉空間３１を形成したので、窓ガラス１８に曇りが生じることを抑制することができる。特に本実施の形態では、窓ガラス１８と撮影レンズ２４とで挟まれた空間を囲む筒状部材３２を用いたことによって、密閉空間３１を極力小さく形成することができ、窓ガラス１８の曇りの発生をより効果的に防止することができる。
【００３１】
また、本実施の形態では、カメラ１２の撮影レンズ２４を利用して密閉空間３１を形成したので、防曇機構を構成する部品点数が少なくなり、ハウジング１０のコストを削減することができる。
【００３２】
さらに、本実施の形態は、窓ガラス１８に特別な加工（例えば、透明電導膜やヒータの取付、防曇膜の形成等）を行う必要がないので、光学特性が低下したり、窓ガラス１８が大型化したりするおそれがない。したがって、ハウジング１０内のカメラで良好な撮影を行うことができる。
【００３３】
なお、本実施の形態では、シール部材３４によって筒状部材３２の内周面と撮影レンズ２４の外周面とで気密をとるようにしたので、カメラ１２を光軸Ｐ方向に移動した場合であっても、常に気密状態を保持することができる。したがって、カメラ１２を光軸Ｐ方向に移動させて、撮影レンズ２４と窓ガラス１８との間隔を狭くすることができるので、密閉空間３１をさらに小さくして窓ガラス１８の曇りの発生をより効果的に防止することができる。
【００３４】
次に本発明に係るカメラハウジングの第２の実施形態について説明する。
【００３５】
図４に示す第２の実施形態は、筒状部材３２が撮影レンズ２４に取り付けられている。筒状部材３２と撮影レンズ２４との隙間は、接着剤（不図示）等によってシールされている。また、筒状部材３２の先端には、リング状のシール部材３６が取り付けられており、このシール部材３６を窓ガラス１８の枠体１７に当接させることによって、枠体１７との気密が取られる。なお、シール部材３６を窓ガラス１８に当接させて、窓ガラス１８に対して気密をとるようにしてもよい。
【００３６】
上記の如く構成された第２の実施形態では、第１の実施形態と同様に、窓ガラス１８と撮影レンズ２４との間に小さな密閉空間３１を形成できるので、窓ガラス１８の曇りの発生を抑制することができる。
【００３７】
さらに、第２の実施形態では、密閉部材３０が撮影レンズ２４に取り付けられているので、カメラ１２をハウジング１０に収納する作業を簡単に行うことができる。
【００３８】
なお、第２の実施形態では、カメラ１２を窓ガラス１８に向けて付勢する付勢手段を設けるとよい。この付勢手段でカメラ１２を付勢しながら、図２のねじ２８を締め込むことによって、シール部材３６を窓ガラス１８に確実に密着させることができる。
【００３９】
図５に示す第３の実施形態は、図４に示した第２の実施形態と比較して、密閉部材３０が撮影レンズ２４に対しても着脱自在に構成されている点で異なっている。すなわち、密閉部材３０は、筒状部材３２の撮影レンズ２４側端部の内周面にシール部材３４が設けられており、このシール部材３４によって筒状部材３２の内周面と撮影レンズ２４の外周面との気密がとられている。また、筒状部材３２の先端側端部には、第２の実施形態と同様に、シール部材３６が取り付けられており、このシール部材３６を窓ガラス１８の枠体１７に当接させることによって、枠体１７と筒状部材３２との気密をとることができる。
【００４０】
上記の如く構成された第３の実施形態では、まず、シール部材３４を弾性変形させながら撮影レンズ２４の先端部に外嵌させる。これにより、筒状部材３２と撮影レンズ２４とがシール部材３４によってシールされた状態で、密閉部材３０が撮影レンズ２４を装着される。次に、密閉部材３０のシール部材３６を窓ガラス１８に当接させながら、カメラ１２（図２参照）をハウジング１０に固定する。これにより、窓ガラス１８と筒状部材３２がシール部材３４によってシールされ、密閉空間３１が形成される。
【００４１】
第３の実施形態によれば、密閉部材３０がユニット化されているので、撮影レンズ２４や窓ガラス１８の形状を変えた場合であっても、密閉部材３０のみを変えることによって対応することができる。
【００４２】
図６に示す第４の実施形態は、図２に示した第１の実施形態と比較して、密閉部材３０に吸湿用カセット３８が取り付けられている点で異なっている。吸湿用カセット３８は、密閉部材３０の筒状部材３２に着脱自在に取り付けられており、吸湿用カセット３８と筒状部材３２がシール部材４２によってシールされるようになっている。吸湿用カセット３８の内部は、筒状部材３２に形成された孔３２Ａを介して密閉空間３１に連通されており、吸湿用カセット３８の内部には活性炭等の吸湿剤４０が設けられている。したがって、密閉空間３１内の水蒸気が孔３２Ａを介して吸湿剤４０に吸湿されるので、密閉空間３１内の水蒸気量を減少させることができる。これにより、窓ガラス１８の曇りの発生をより効果的に抑制することができる。
【００４３】
また、第４の実施形態によれば、吸湿用カセット３８が密閉部材３０に対して着脱自在に設けられているので、吸湿剤４０の吸着性能が低下した際には、吸湿用カセット３８を取り外して吸湿剤４０を交換することができる。
【００４４】
なお、上述した第４の実施形態において、吸湿用カセット３８の内部にファン等の送風手段を設け、密閉空間３１内のエアを吸湿用カセット３８内に強制的に吸気するようにしてもよい。
【００４５】
また、上述した第４の実施形態において、吸湿用カセット３８を設ける代わりに、吸湿剤４０を密閉空間３１の内部に直接設けてもよく、例えば、シート状の吸湿剤４０を筒状部材３２の内周面に貼着するようにしてもよい。
【００４６】
なお、上述した第１〜第４の実施形態において、密閉空間３１を形成する作業（すなわち、カメラ１２をハウジング１０内に固定する作業）を、湿度の低い環境、例えば乾燥室の内部で行うとよい。これにより、形成された密閉空間３１内の水蒸気量が少なくなるので、窓ガラス１８の曇りの発生をより効果的に抑制することができる。
【００４７】
また、密閉空間３１を形成した後に、乾燥エアや不活性ガスを密閉空間３１に注入するようにしてもよい。これにより、密閉空間３１内の水蒸気量が少なくなるので、窓ガラス１８の曇りの発生をより効果的に抑制することができる。
【図面の簡単な説明】
【００４８】
【図１】本発明のカメラハウジングの第１の実施形態が適用された雲台を示す外観図
【図２】図１のカメラハウジングの内部構造を模式的に示す断面図
【図３】密閉部材の構造を示す分解斜視図
【図４】第２の実施形態のカメラハウジングの先端部の内部構造を模式的に示す断面図
【図５】第３の実施形態のカメラハウジングの先端部の内部構造を模式的に示す断面図
【図６】第４の実施形態のカメラハウジングの先端部の内部構造を模式的に示す断面図
【符号の説明】
【００４９】
１０…ハウジング、１１…雲台、１２…カメラ、１４…雲台コントローラ、１６…雲台本体、１７…枠体、１８…窓ガラス、１９…パン軸、２２…カメラ本体、２４…撮影レンズ、２６…支持部材、２８…ねじ、３０…密閉部材、３１…密閉空間、３２…筒状部材、３４…シール部材、３６…シール部材、３８…吸湿用カセット、４０…吸湿剤、４２…シール部材
【図１】
2005128375.tif 000003
【図２】
2005128375.tif 000004
【図３】
2005128375.tif 000005
【図４】
2005128375.tif 000006
【図５】
2005128375.tif 000007
【図６】
2005128375.tif 000008